(57)【特許請求の範囲】
【請求項１】
咽喉部に押し付けられ、上記咽喉部で生ずる振動を音声信号に変換する振動−電気変換器を有する咽喉マイクロホンにおいて、
ハウジングと、２つの圧電素子をその分極方向を向かい合わせとして組み合わせたボルト締めランジェバン振動子と、上記咽喉部に対する接触子とを備え、
上記ハウジングは、底部と対向する面が開口部とされた有底筒状体からなり、上記ボルト締めランジェバン振動子は、上記各圧電素子の分極方向を上記ハウジングの軸方向と一致させて第１弾性支持手段を介して上記ハウジング内に収納されており、上記接触子は、第２弾性支持手段を介して上記ハウジングの開口部側に支持されており、
上記咽喉部への未装着時には、上記ボルト締めランジェバン振動子、上記接触子ともに自由に振動し得る状態にあり、
上記咽喉部への装着時には、上記ボルト締めランジェバン振動子が上記接触子と上記ハウジングの底部との間に挟まれて上記咽喉部で生ずる振動が圧縮力として加えられる状態となり、上記ボルト締めランジェバン振動子より上記圧縮力の大きさに応じた電圧が出力されることを特徴とする咽喉マイクロホン。
【請求項２】
上記ハウジングに、人体に対する保持部材が取り付けられていることを特徴とする請求項１に記載の咽喉マイクロホン。
【発明の詳細な説明】
【技術分野】
【０００１】
本発明は、人体の咽喉部で生ずる振動を音声信号として出力する咽喉マイクロホンに関し、さらに詳しく言えば、未装着時に外部から加えられる振動による雑音発生を防止する技術に関するものである。
【背景技術】
【０００２】
マイクロホンで音声を収音する際、通常のコンデンサマイクロホンやダイナミックマイクロホンでは送話が困難な高騒音下、例えば航空機の修理工場やトンネル内での工事現場等では、咽喉部の振動を検出する咽喉マイクロホンが用いられている。
【０００３】
咽喉マイクロホンでは、その振動検出部（ピックアップ）に圧電素子からなる振動−電気変換器を用い、咽喉部に押し付けて使用される。
【０００４】
その場合、手で押し付ける方法では片手が塞がれて不便であることから、両手が自由な状態で送話できるようにするため、多くの場合、Ｃ字状のネックバンドを用いて振動検出部を咽喉部に押し付けるようにしている（特許文献１参照）。
【０００５】
しかしながら、振動検出部は、その構造上、いかなる振動も拾うため、例えば咽喉マイクロホンを着脱する際や振動検出部を触手したときに、その振動により不快な雑音が発生することがある。
【０００６】
そこで、特許文献２には、咽喉部で生ずる振動を音声信号に変換する本来の振動−電気変換器を第１振動−電気変換器として、これとは別に、ネックバンド等の保持部材に加えられる機械的振動（雑音源振動）を検出する第２振動−電気変換器を備えるとともに、第１振動−電気変換器の出力段にＶＯＸ回路を接続し、第２振動−電気変換器の出力によりＶＯＸ回路を制御して、第１振動−電気変換器の音声出力レベルを所定に減衰もしくは０レベルのオフ状態にすることが提案されている。
【０００７】
これによれば、咽喉マイクロホンの着脱時の触手によりネックバンド等に加えられる機械的振動が第２振動−電気変換器により雑音として検出され、その検出信号によりＶＯＸ回路が制御され、第１振動−電気変換器の音声出力レベルが所定に減衰もしくは０レベルのオフ状態にされるため、咽喉部以外の外部から加えられる振動による雑音発生を防止することができる。
【０００８】
しかしながら、上記特許文献２による咽喉マイクロホンでは、咽喉部の振動を検出する本来の第１振動−電気変換器とは別に、振動雑音を検出する第２振動−電気変換器とＶＯＸ回路とを必要するため、その分、コストアップになる。
【先行技術文献】
【特許文献】
【０００９】
【特許文献１】特開２００５−１１７５３６号公報
【特許文献２】特開２０１３−１５３３６４号公報
【発明の概要】
【発明が解決しようとする課題】
【００１０】
したがって、本発明の課題は、振動雑音検出用の振動−電気変換器や音声信号出力制御用のＶＯＸ回路等を不要とし、単一の振動−電気変換器で振動雑音を拾わないようにした咽喉マイクロホンを提供することにある。
【課題を解決するための手段】
【００１１】
上記課題を解決するため、本発明は、保持部材を介して咽喉部に押し付けられ、上記咽喉部で生ずる振動を音声信号に変換する振動−電気変換器を有する咽喉マイクロホンにおいて、
ハウジングと、２つの圧電素子をその分極方向を向かい合わせとして組み合わせたボルト締めランジェバン振動子と、上記咽喉部に対する接触子とを備え、上記ハウジングは、底部と対向する面が開口部とされた有底筒状体からなり、上記ボルト締めランジェバン振動子は、上記各圧電素子の分極方向を上記ハウジングの軸方向と一致させて第１弾性支持手段を介して上記ハウジング内に収納されており、上記接触子は、第２弾性支持手段を介して上記ハウジングの開口部側に支持されており、
上記咽喉部に未装着時には、上記ボルト締めランジェバン振動子、上記接触子ともに自由に振動し得る状態にあり、上記咽喉部への装着時には、上記ボルト締めランジェバン振動子が上記接触子と上記ハウジングの底部との間に挟まれて上記咽喉部で生ずる振動が圧縮力として加えられる状態となり、上記ボルト締めランジェバン振動子より上記圧縮力の大きさに応じた電圧が出力されることを特徴としている。
【００１２】
本発明において、上記ハウジングには人体に対する保持部材が取り付けられていることが好ましい。
【発明の効果】
【００１３】
ボルト締めランジェバン振動子は、２つの圧電素子が分極方向を向かい合わせとして機械的に結合されていることから、加振されても圧縮力が加えられないかぎり発電せず、圧縮力が加えられたときにのみ発電する。本発明は、このようなボルト締めランジェバン振動子を用いたことにより、振動雑音検出用の振動−電気変換器や音声信号出力制御用のＶＯＸ回路等の雑音対策部品を不要として、振動雑音を発生させることなく咽喉部で生ずる振動を音声信号に変換することができる。
【図面の簡単な説明】
【００１４】
【図１】本発明の一実施形態に係る咽喉マイクロホンをネックバンドに取り付けた状態で示す模式図。
【図２】人体の咽喉部に対する上記咽喉マイクロホンの（ａ）未装着状態を示す断面図、（ｂ）装着状態を示す断面図。
【図３】ボルト締めランジェバン振動子を示す分解断面図。
【図４】上記ボルト締めランジェバン振動子の要部を模式的に示す分解斜視図。
【図５】上記ボルト締めランジェバン振動子の弾性支持手段を示す斜視図。
【発明を実施するための形態】
【００１５】
次に、図１ないし図５を参照して、本発明の実施形態について説明するが、本発明はこれに限定されるものではない。
【００１６】
まず、図１に示すように、この実施形態に係る咽喉マイクロホン１は、ほぼＣ字状で好ましくはバネ弾性を有する人体に対する保持部材としてのネックバンド２の一端部に取り付けられた状態で、図示しない人体の咽喉部に装着して使用される。
【００１７】
ネックバンド２は、図示しない人体の首部の周りに装着されるほぼＣ字状に形成された弾性を有する線材（丸棒材や帯板材を含む）からなる。その材質は、金属もしくは合成樹脂のいずれであってもよいが、首部に直接触れることから、肌触りのよい装飾が施されていることが好ましい。なお、ネックバンドに代えて、ヘッドセットのマイクロホン支持アームが用いられてもよい。
【００１８】
図２および図３を参照して、この咽喉マイクロホン１は、基本的な構成として、ハウジング１０と、咽喉部で生ずる振動を音声信号に変換する振動−電気変換器としてのボルト締めランジェバン振動子２０と、咽喉部に対する接触子３０とを備えている。
【００１９】
ハウジング１０は有底筒状体からなり、底部１０ａと対向する面が開口面１０ｂとされている。ハウジング１０は、円筒体、角筒体のいずれであってもよい。また、ハウジング１０の材質も金属，合成樹脂、木材等、任意に選択されてよい。
【００２０】
ボルト締めランジェバン振動子２０には、第１および第２の２つの圧電素子２１，２２と、同じく第１および第２の２つの金属ブロック２３，２４と、これらの各部材を一体的に連結する締付ボルト２５とが含まれている。
【００２１】
図４を併せて参照して、第１圧電素子２１と第２圧電素子２２は、同径で所定の同じ厚さを有する円板状に形成されている。第１圧電素子２１と第２圧電素子２２は、厚さ方向に分極されているが、ボルト締めランジェバン振動子２０では、その分極方向を向かい合わせとして組み合わされる。
【００２２】
この実施形態では、正極同士を向かい合わせている。第１圧電素子２１と第２圧電素子２２の中央部分には、それぞれ、締付ボルト２５が挿通されるボルト挿通孔２１ａ，２２ａが穿設されている。
【００２３】
第１圧電素子２１と第２圧電素子２２の間には、正極電極としての第１電極板２６が挟まれている。第１電極板２６は、圧電素子２１，２２とほぼ同径の円板体からなり、その周縁の一部に引出電極２６ｂを備えている。
【００２４】
第１圧電素子２１の負極面側（図３において上面側）には、負極電極としての第２電極板２７が配置され、また、第２圧電素子２２の負極面側（図３において下面側）には、負極電極としての第３電極板２８が配置されている。
【００２５】
第２電極板２７と第３電極板２８は、第１電極板２６と同じく、圧電素子２１，２２とほぼ同径の円板体からなり、それぞれ、その周縁の一部に引出電極２７ｂ，２８ｂを備えている。
【００２６】
各電極板２６，２７，２８の中央部分には、それぞれ、締付ボルト２５が挿通されるボルト挿通孔２６ａ，２７ａ，２８ａが穿設されている。各電極板２６，２７，２８には、りん青銅やベリリウム青銅等の銅電極もしくは銀電極が好ましく採用される。各電極板２６，２７，２８は、圧電素子２１，２２より小径であってもよい。
【００２７】
図４に示すように、ボルト締めランジェバン振動子２０は、一対の出力端子Ｔａ，Ｔｂを備えている。この実施形態において、出力端子Ｔａがプラス側で出力端子Ｔｂがマイナス側であり、プラス側の出力端子Ｔａには、第１電極板２６の引出電極２６ｂが接続され、マイナス側の出力端子Ｔｂには、第２電極板２７と第３電極板２８の引出電極２７ｂ，２８ｂが接続される。なお、図２には簡略のために第１，第２圧電素子２１，２２のみを示しているが、実際には図４の構成を備えている。
【００２８】
第１金属ブロック２３と第２金属ブロック２４は、ジュラルミン等の機械的損失が小さく比較的柔らかい金属材であることが好ましい。第１金属ブロック２３は、第１圧電素子２１の負極面側に配置され、第２金属ブロック２４は、第２圧電素子２１の負極面側に配置されている。
【００２９】
第１金属ブロック２３には、締付ボルト２５が挿通されるボルト挿通孔２３ａが穿設されている。ボルト挿通孔２３ａは、その上端側に締付ボルト２５の頭部２５ａが収納される拡径された凹部２３ｂを備えている。
【００３０】
これに対して、第２金属ブロック２４には、締付ボルト２５の相手となる雌ネジ孔２４ａが設けられている。締付ボルト２５は、ステンレス等の硬い金属材であることが好ましく、締付ボルト２５を第１金属ブロック２３側から差し込んで第２金属ブロック２４の雌ネジ孔２４ａに螺合して強く締め付けることにより、ボルト締めランジェバン振動子２０が作製される。なお、金属ブロック２３，２４の代わりに、硬質合成樹脂ブロックが用いられてもよい。
【００３１】
ボルト締めランジェバン振動子２０は、各圧電素子２１，２２の分極方向をハウジングの軸方向と一致させた状態でゴム材等からなる第１弾性支持手段２９を介してハウジング１０内に収納されている。
【００３２】
この実施形態において、第１弾性支持手段２９は、図５に示すように、帽子のブリム（ｂｒｉｍ）のように環状に形成された上下一対の支持メンバー２９ａ，２９ｂを有し、ボルト締めランジェバン振動子２０は、これら支持メンバー２９ａ，２９ｂによってハウジング１０内でその底部１０ａから浮いた状態で支持されている。
【００３３】
接触子３０は、ハウジング１０の開口面１０ｂ側にゴム材等からなる第２弾性支持手段３１を介してハウジング１０の軸方向に移動可能に支持されている。なお、第２弾性支持手段３１には、上記第１弾性支持手段２９が備えている一方の支持メンバー、例えば上部側の支持メンバー２９ａと同形状のものが用いられてよい。
【００３４】
接触子３０は、咽喉部へ装着していない未装着の無負荷時には、図２（ａ）に示すように、第２弾性支持手段３１によりボルト締めランジェバン振動子２０とは非接触状態に支持される。接触子３０は、金属材、合成樹脂材のいずれであってもよいが、質量が小さい方がよい。また、第１，第２弾性支持手段２９，３１は、例えば車輪のスポーク状に形成されてもよい。
【００３５】
ボルト締めランジェバン振動子２０は、上記のように、第１圧電素子２１と第２圧電素子２２とが分極方向を向かい合わせとして締付ボルト２５により一体的に結合されていることから、加振されても圧縮力が加えられないかぎり発電せず、圧縮力が加えられたときにのみ発電する。
【００３６】
したがって、図２（ａ）に示す咽喉部へ装着していない未装着の無負荷時に、咽喉マイクロホン１に対して例えばネックバンド２を伝わって振動が加えられ、ハウジング１０内でボルト締めランジェバン振動子２０が振動しても、その振動により雑音は発生しない。
【００３７】
これに対して、咽喉マイクロホン１が咽喉部に装着されると、咽喉部は接触子３０に密着してこれを押圧する。この押圧により、接触子３０は第２弾性支持手段３１が変形してボルト締めランジェバン振動子２０側に移動する。さらに移動すると、第１金属ブロック２３に当接してこれを押圧する。
【００３８】
この押圧により、ボルト締めランジェバン振動子２０は第１弾性支持手段２９が変形してハウジングの底部１０ａ側に移動して底部１０ａに当接する。その結果、図２（ｂ）に示すように、接触子３０がハウジング１０内に押し込められ、ボルト締めランジェバン振動子２０が接触子３０とハウジング１０の底部１０ａとの間に挟まれて咽喉部で生ずる振動が圧縮力として加えられる状態となる。
【００３９】
これにより、咽喉部で生ずる振動の強弱に応じた圧縮力がボルト締めランジェバン振動子２０に加えられ、ボルト締めランジェバン振動子２０の発電機能により、その出力端子Ｔａ，Ｔｂから咽喉部で生ずる振動の強弱に応じた電圧が音声信号として出力される。
【００４０】
このように、本発明によれば、ボルト締めランジェバン振動子を用いたことにより、振動雑音検出用の振動−電気変換器や音声信号出力制御用のＶＯＸ回路等の雑音対策部品を不要として、振動雑音を発生させることなく咽喉部で生ずる振動を音声信号に変換することができる。
【符号の説明】
【００４１】
１  咽喉マイクロホン
２  ネックバンド（保持部材）
１０  ハウジング
１０ａ  ハウジングの底部
１０ｂ  ハウジングの開口部
２０  ボルト締めランジェバン振動子
２１  第１圧電素子
２２  第２圧電素子
２３  第１金属ブロック
２４  第２金属ブロック
２５  締付ボルト
２６  第１電極板（正極側）
２７  第２電極板（負極側）
２８  第３電極板（負極側）
２９  第１弾性支持手段
３０  接触子
３１  第２弾性支持手段
【図１】
0006656996.tif 000002
【図２】
0006656996.tif 000003
【図３】
0006656996.tif 000004
【図４】
0006656996.tif 000005
【図５】
0006656996.tif 000006